(57)【要約】【課題】パチンコ機，スロットマシン等の遊技機の扉の軸支側からの不正を防止するとともに、開閉時の扉の動きを適宜自由に設定できるようにする。【解決手段】枠本体２に扉体６を開閉自在に装着する遊技機用ヒンジ機構７において、前記枠本体２に略水平に固着される固定基板１６と、前記扉体６に略水平に固着される取付基板１７と、前記固定基板１６に回動軸１８を介して回動自在に軸支すると共に一端を前記取付基板１７に第一連結軸２８を介して軸支する第一リンク９と、一端が前記取付基板１７に第二連結軸３３を介して軸支され他端にガイドピン２０が突設された第二リンク２１とにより構成され、前記固定基板１６に主ガイド溝２２を形成すると共に前記第一リンク１９に副ガイド溝２５を形成し、前記ガイドピン２０を前記主ガイド溝２２と副ガイド溝２５とに貫挿し、前記扉体６の開閉時に前記ガイドピン２０が前記主ガイド溝２２内及び副ガイド溝２５内を移動することにより該扉体６の動きが規制されるようにした。【選択図】図４
2005278872.tif 000002
【特許請求の範囲】
【請求項１】
枠本体に扉体を開閉自在に装着する遊技機用ヒンジ機構において、
前記枠本体に略水平に固着される固定基板と、前記扉体に略水平に固着される取付基板と、前記固定基板に回動軸を介して回動自在に軸支すると共に一端を前記取付基板に第一連結軸を介して軸支する第一リンクと、一端が前記取付基板に第二連結軸を介して軸支され他端にガイドピンが突設された第二リンクとにより構成され、前記固定基板に主ガイド溝を形成すると共に前記第一リンクに副ガイド溝を形成し、前記ガイドピンを前記主ガイド溝と副ガイド溝とに貫挿し、前記扉体の開閉時に前記ガイドピンが前記主ガイド溝内及び副ガイド溝内を移動することにより該扉体の動きが規制されるようにしたことを特徴とする遊技機用ヒンジ機構。
【請求項２】
前記副ガイド溝を前記扉体側に凸状に湾曲する長孔状に形成したことを特徴とする請求項１記載の遊技機用ヒンジ機構。
【請求項３】
前記主ガイド溝を前記枠本体側に凸状に湾曲する長孔状に形成したことを特徴とする請求項１又は２記載の遊技機用ヒンジ機構。
【請求項４】
前記副ガイド溝の前記扉体の自由端側に位置する端部に前記第一リンクの回動軸を曲率中心とする前記ガイドピンの円弧状の移動を阻止する鉤状凹部を形成し、前記扉体の全閉状態時に前記ガイドピンを前記鉤状凹部に位置させることで該扉体の基端側が前記枠本体から離間するのを阻止するようにしたことを特徴とする請求項１乃至３のいずれかに記載の遊技機用ヒンジ機構。
【発明の詳細な説明】
【技術分野】
【０００１】
本発明はパチンコ機，スロットマシン等の遊技機の扉を開閉可能に連結するヒンジ機構に関するものである。
【背景技術】
【０００２】
一般にヒンジ機構によって開閉可能に支持されている遊技機の扉の前面には、球皿，ディスプレイ枠，操作釦、或いは装飾用の表面板等が設けられていることから遊技者側に突出したものとなっている。さらに、近年ではデザインのマンネリ化を打破するために、透明板扉枠の装飾カバーを膨出させて立体的なデザインにする傾向にある。このため、扉を開く際に開度が十分でないうちに隣接する遊技機や球貸機等に扉が衝突するおそれがあり、メンテナンスに支障をきたしたり装飾部を破損させたりするおそれがあった。
【０００３】
その衝突を避けるために、複数のリンクを介して扉を支持することにより、大きく円弧状の軌跡を描いて扉が開閉されるようにする蝶番機構が開示されている（例えば、特許文献１又は２参照。）。
【特許文献１】特開平０６−２９２７５８号公報
【特許文献２】実公平０６−３２１４７号公報
【発明の開示】
【発明が解決しようとする課題】
【０００４】
ところで上記従来の蝶番機構は、前枠等の扉の回動軸がリンクによって内方に移動するように、リンクの枠体側の軸が扉側の軸より扉の自由端側に設けられているため、扉の開閉時に隣接する遊技機や球貸機等への干渉は解消されるものの、遊技者が不正目的で扉の軸支側端部を手前に引いてこじ開けようとすると、リンクの枠体側の軸を中心にリンクを回動させる方向にその力が作用してしまうため、簡単に扉の基端部に隙間を生じさせていた。そのため、この隙間から針金等の不正具を差し込まれて球払出装置や入賞装置等に不正行為が行われ、メダル，遊技球等が盗難されるという問題があった。
【０００５】
そこで本発明は、扉の軸支側からの不正を防止するとともに、扉の開閉時の動きを適宜自由に設定できる遊技機用ヒンジ機構を提供しようとするものである。
【課題を解決するための手段】
【０００６】
そのために、請求項１記載の発明は、枠本体に扉体を開閉自在に装着する遊技機用ヒンジ機構において、前記枠本体に略水平に固着される固定基板と、前記扉体に略水平に固着される取付基板と、前記固定基板に回動軸を介して回動自在に軸支すると共に一端を前記取付基板に第一連結軸を介して軸支する第一リンクと、一端が前記取付基板に第二連結軸を介して軸支され他端にガイドピンが突設された第二リンクとにより構成され、前記固定基板に主ガイド溝を形成すると共に前記第一リンクに副ガイド溝を形成し、前記ガイドピンを前記主ガイド溝と副ガイド溝とに貫挿し、前記扉体の開閉時に前記ガイドピンが前記主ガイド溝内及び副ガイド溝内を移動することにより該扉体の動きが規制されるようにしたことを特徴とする。そのため、主ガイド溝及び副ガイド溝の形状を適宜設定することにより扉体の開閉時の動きを必要に応じて自由に設定することができる。なお、前記固定基板又は取付基板の少なくともいずれか一方を、枠本体又は扉体に一体的に設けるようにしてもよい。
【０００７】
請求項２記載の発明は、請求項１記載の発明において、前記副ガイド溝を前記扉体側に凸状に湾曲する長孔状に形成したことを特徴とする。
【０００８】
請求項３記載の発明は、請求項１又は２記載の発明において、前記主ガイド溝を前記枠本体側に凸状に湾曲する長孔状に形成したことを特徴とする。
【０００９】
請求項４記載の発明は、請求項１乃至３のいずれかに記載の発明において、前記副ガイド溝の前記扉体の自由端側に位置する端部に前記第一リンクの回動軸を曲率中心とする前記ガイドピンの円弧状の移動を阻止する鉤状凹部を形成し、前記扉体の全閉状態時に前記ガイドピンを前記鉤状凹部に位置させることで該扉体の基端側が前記枠本体から離間するのを阻止するようにしたことを特徴とする。このようにすることで、軸支側から扉体をこじ開けようとしてもガイドピンが鉤状凹部の内周縁に当接してリンクを回動させることはなく、不正を確実に防止することができる。
【００１０】
また、前記主ガイド溝は枠本体の横幅方向に形成され、該主ガイド溝の枠本体の軸支側の端部位置を他側端部位置より枠本体の前面側寄りに位置させるのが好ましい。
【００１１】
また、前記扉体の閉鎖状態にあって前記副ガイド溝は平面視して前記主ガイド溝に対して枠本体の前面側に所定角度なすように形成するのが好ましい。その角度は０度より大きく９０度より小さい範囲で設定される。
【００１２】
前記副ガイド溝の湾曲部を該副ガイド溝の始端側に位置して設けるのが好ましく、回転支軸を早くパチンコ機の内方に移動させることができる。
【発明の効果】
【００１３】
リンクの動きを主ガイド溝及び副ガイド溝により規制するようにしたので、主ガイド溝及び副ガイド溝の形状を適宜設定することにより開閉時の扉の動きを必要に応じ自由に設定でき、しかも扉体の軸支側からの不正を確実に防止することができる。
【実施例１】
【００１４】
次に、本発明の一実施例を図面を参照して説明する。図１は遊技機としてのパチンコ機の正面図である。図において、１は枠本体として方形枠状に形成されたパチンコ機の機枠、２は機枠１の前面にヒンジ機構３により開閉自在に装着される扉体としての前面枠であり、該前面枠２の裏面側に設けられる遊技盤取付枠４に遊技盤５が着脱自在に取着される。また、前面枠２の前面には、該前面枠２を枠本体として、遊技盤５が視認できるようにガラス又はアクリル，ポリカーボネート等の合成樹脂による透明板が保持される扉体としての透明板扉枠６がヒンジ機構７により開閉自在に設けられる。そして、透明板扉枠６の下方には打球供給皿８が設けられると共に該打球供給皿８の余剰球を貯留する余剰球受皿９が一体に設けられ、透明板扉枠６と共に開閉するようにしている。また、その側方に打球の飛力を調整する操作ハンドル１０が設けられている。なお、透明板扉枠６と打球供給皿８とを別体に形成して、打球供給皿８が前板を介して独立して開閉するようにしてもよく、さらに打球供給皿８と余剰球受皿９とが一体に開閉するようにしてもよい。
【００１５】
前記透明板扉枠６は、図１及び図２に示すように透明板としてのガラス板１１を介して遊技盤５が視認できるように額縁状に形成されており、枠体１２と、該枠体１２の前面に取付けられる装飾カバー体１３とにより大略構成される。そして、枠体１２の裏面側には上方が開放したコ字形の保持枠材１４が取付けられ、該保持枠材１４には前記ガラス板１１が複数嵌るガラス挿入溝１４ａ，１４ａが設けられている。装飾カバー体１３の周縁には不正防止用リブ１５が設けられ、前面枠２の突堤に対向して設けることにより針金等が侵入するクリアランスをなくし、針金等の異物を突っ込んで遊技機内を操作する不正行為を防止する。
【００１６】
前記ヒンジ機構７は、図３に示すように前記前面枠２に略水平に固着される固定基板１６と、透明板扉枠６に略水平に固着される取付基板１７と、固定基板１６に略中間部を回動軸１８により回動自在なるように軸支され一端を取付基板１７に第一連結軸２８により軸支する第一リンク１９と、取付基板１７に水平面内で回動自在なるように一端を第二連結軸３３により軸支すると共に他端にガイドピン２０を突設した第二リンク２１とにより構成される。
【００１７】
前記固定基板１６にはガイドピン２０が遊挿され、く字状に形成された第二リンク２１の動きを規制する主ガイド溝２２が形成されている。主ガイド溝２２は、直線の長孔状に形成され、該主ガイド溝２２の始端位置（透明板扉枠６の全閉状態時のガイドピン２０の初期位置）は終端位置（透明板扉枠６の全開状態時のガイドピン２０の最終位置）よりも後寄りに位置して、機枠１の開口面に対して約３０度内向きに傾斜して形成されている。また、第一リンク１９は、該第一リンク１９を取付基板１７に軸支するアーム状の軸支部２３と幅広の板状部２４とにより全体鉈型に形成されている。前記板状部２４には、ガイドピン２０が遊挿される副ガイド溝２５が急傾溝部２５ａと緩傾溝部２５ｂとにより透明板扉枠６側に凸状となるように略へ字状に湾曲した長孔状に形成され、主ガイド溝２２と共に該第一リンク１９の回動範囲を規制するようにしている。前記副ガイド溝２５は、湾曲部が該副ガイド溝２５の始端寄り（透明板扉枠６の自由端側）に位置しており、湾曲部までの急傾溝部２５ａにより透明板扉枠６の初動開放操作により第一連結軸２８を透明板扉枠６の自由端側に早く移動させることができる。そして、透明板扉枠６の閉鎖時には、図４に示すように副ガイド溝２５の始端部と主ガイド溝２２の始端部とのなす角度αが約４０度に設定され、終端部は主ガイド溝２２の終端部とほぼ平行となるように設けられている。また、主ガイド溝２２と副ガイド溝２５とは、図４に示すように透明板扉枠６の全閉状態時において合致しない形状としている。それというのも、透明板扉枠６の全閉状態時に主ガイド溝２２と副ガイド溝２５とが平面視して合致する形状とすると、ガイドピン２０が単に主ガイド溝２２を移動することとになり、第一リンク１９を可動させることはなく、第一連結軸２８が移動せず意味のないものになってしまうため、主ガイド溝２２と副ガイド溝２５とを異形状としている。なお、主ガイド溝２２と副ガイド溝２５とを同形状として、透明板扉枠６の全閉状態時において主ガイド溝２２と副ガイド溝２５とが完全に合致せずに位置がずれていればよい。
【００１８】
前記第一リンク１９及び第二リンク２１は、図５に示すように固定基板２４及び取付基板１７を挟むように軸着している。この実施例において、第一リンク１９は固定基板１６の上面に回動軸１８により回動自在に軸支すると共に、一端を取付基板１７の上面であり回動軸１８より透明板扉枠６の基端側に位置して透明板扉枠６の回転軸となる第一連結軸２８により軸支している。また、第二リンク２１は第一リンク１９の第一連結軸２８と所定間隔を離して取付基板１７の下面に水平面内で回転自在なるように第二連結軸３３により軸支すると共に他端のガイドピン２１を固定基板１６の主ガイド溝２２の下方から臨ませ、さらに第一リンク１９の副ガイド溝２５に遊挿し、座付ビス２７をガイドピン２０に螺着することにより抜け止めを施している。なお、主ガイド溝２２及び副ガイド溝２５は、ガイドピン２０の初期位置（透明板扉枠６の全閉状態時）を起点として前面枠２の前面側でありかつ回動軸１８側に設けられ、かつ透明板扉枠６の閉鎖時に副ガイド溝２５の始端部と主ガイド溝２２の始端部とのなす角度αは、０度＜α＜９０度を満たすものである。この条件のもとで、主ガイド溝２２及び副ガイド溝２５は、本発明の要旨を逸脱しない範囲にて任意に変更が可能であり、例えば主ガイド溝２２を機枠１の開口面と平行となるように形成したり湾曲状に形成してもよい。また、第一リンク１９及び第二リンク２１の形状は実施例の形状に限定されるものではなく、例えば第二リンク２１は直線棒状であってもよい。
【００１９】
上記構成のヒンジ機構７は、固定基板１６を前面枠２にボルト又はビス着し、取付基板１７を透明板扉枠６の内面にボルト又はビス着することで取付けられる。なお、前面枠２には、図５に示すように主ガイド溝２２の下方に位置して凹状の切欠き３６が形成され、該切欠き３６内を第二リンク部材２１が移動し得るようにしている。第二リンク部材２１が切欠き３６によって保護されて該切欠き３６内を移動するため、ヒンジ機構７は安定した状態で回動作用することができる。
【００２０】
このように構成したヒンジ機構７では、透明板扉枠６を図６に示すように開放操作したとき、ガイドピン２０が主ガイド溝２２に規制されて移動することにより、第一リンク１９が回動軸１８を中心に内向き回動（図上反時計回り）し、透明板扉枠６は第一連結軸２８が回動軸１８を曲率中心とした回動によってパチンコ機の内方へ移動するのにともなって開放し、かつ傾斜状の主ガイド溝２２により前面側に移動して図７に示すように前面枠２に対して約１００度開放した全開状態となる。このように、主ガイド溝２２と副ガイド溝２５との形状を異ならせ、主ガイド溝２２と副ガイド溝２５の始端部の傾斜角度を異ならせて所定角度なすように形成したことにより、透明板扉枠６の開放操作によりすぐに第一リンク１９が回動して第一連結軸２８を前面枠２から離脱させ、透明板扉枠６の自由端側であるパチンコ機の内方に移動させるため、透明板扉枠６は全開状態になっても、機枠１本体の側面からはみ出さないようにすることができる。このため、透明板扉枠６は膨出した装飾カバー体１３が設けられていても隣接する遊技機や球貸機等に接触することなく開閉することができる。また、実施例において、第一連結軸２８が回動軸１８を透明板扉枠６側に越えないように位置させたので、遊技盤５の装着時に透明板扉枠６が邪魔になることはない。なお、ガイドピン２０の外周にローラを回転自在に設け、主ガイド溝２２及び副ガイド溝２５内を軽摩擦で移動し得るようにしてもよい。
【００２１】
このようにヒンジ機構７を構成すると、透明板扉枠６の装飾カバー体１３を透明板扉枠６の端部から回動軸１８までの厚さに膨出させても、隣接するパチンコ機又は球貸機等に衝突することはない。また、ガイドピン２０が主ガイド溝２２及び副ガイド溝２５を移動するようにしたので、主ガイド溝２２及び副ガイド溝２５によって透明板扉枠６の開放角度が規制され、必要以上に透明板扉枠６を開放させることがないので、点検等のために透明板扉枠６を開放させても隣の遊技者の邪魔とならず迷惑をかけることがない。しかも、不正目的で透明板扉枠６の軸支側端部をこじ開けて針金等の不正具を侵入させようとしても、ガイドピン２０が主ガイド溝２０の端部に当接して移動することができないため、従来のヒンジ機構のようにリンクが回動することはなく、確実に不正行為を防ぐことができる。
【実施例２】
【００２２】
図８乃至図１１は他の実施例を示したもので、前記実施例と異なる点は、主に主ガイド溝２２及び副ガイド溝２５の形状であり、前記実施例と同じ構成には同一符号を付して説明する。この実施例では主ガイド溝２２を前面枠２側に凸状となるように湾曲して形成して、主ガイド溝２２の始端部（透明板扉枠６の全閉状態時のガイドピン２０側）及び副ガイド溝２５の湾曲部までの急傾溝部２５ａとのなす角αが約７０度となっている。そして、図１０に示すようにガイドピン２０が急傾溝部２５ａを移動する透明板扉枠６の僅かな開放操作により、第一リンク１９をほぼ全開状態とし、主ガイド溝２２の終端部と副ガイド溝２５の緩傾溝部２５ｂがほぼ一致した状態となり、以後ガイドピン２０はほぼ一致した主ガイド溝２２の終端部と副ガイド溝２５の緩傾溝部２５ｂを移動するだけで、第一リンク１９を回動させることはなく、透明板扉枠６は、第一連結軸２８を回転軸として回動する。このように、主ガイド溝２２の始端部と副ガイド溝２５の急傾溝部２５ａとのなす角αが９０度に近づくにつれて、透明板扉枠６の僅かな開放操作により第一リンク１９を大きく回動させることができ、透明板扉枠６に不正防止用リブ１５が設けられていても、第一連結軸２８を早く透明板扉枠６の自由端側に移動させることができるため、何の支障もなく透明板扉枠６を開閉することができる。さらに、透明板扉枠６の端部まで装飾カバー体１３を膨出させることができ、デザインの多様化を図ることができる。また、この実施例において第一リンク１９の第一連結軸２８及び第二リンク２１の第二連結軸３３の取付基板１７への軸支位置を機枠１前面に対してほぼ平行となるように設けたので、ヒンジ機構７をコンパクトにすることができる。
【００２３】
また、副ガイド溝２５の透明板扉枠６の自由端側に位置する端部に鉤状凹部３０を形成している。該鉤状凹部３０は、回動軸１８を曲率中心とするガイドピン２０の円弧状の移動を阻止するように透明板扉枠６の基端側に開放してガイドピン２０とほぼ同径に形成され、透明板扉枠６の全閉状態時にガイドピン２０を鉤状凹部３０に位置させることで、透明板扉枠６の基端側を手前に引いてこじ開け、ピアノ線等を隙間から差込み不正をしようとしても、ガイドピン２０が鉤状凹部３０の内側に当接して第一リンクの回動軸１８を曲率中心とするガイドピン２０の円弧状の移動を阻止するため、第一リンク１９は回動することなく、透明板扉枠６の基端側が前面枠２から離間するのを阻止して確実に軸支側端部からの不正を防止することができる。
【００２４】
このように、本発明では主ガイド溝２２及び副ガイド溝２５の形状を適宜設定することによって、透明板扉枠６の動きを必要に応じ自由に設定することができる。
【００２５】
なお、このヒンジ機構７は必要に応じ透明板扉枠６の上部と下部に設けられるが、夫々透明板扉枠６の開口の内側に設けて外部に露出させないように取付けることも可能である。
【００２６】
また、固定基板１６及び取付基板１７の形状も限定されるものではなく、取付場所によって固定基板１６及び取付基板１７の形状をＬ字状，コ字状に形成するようにしてもよい。なお、実施例において、固定基板１６及び取付基板１７をボルト又はビス着としたが、固定基板１６又は取付基板１７の少なくともいずれか一方を、枠本体又は扉体に一体的に設けるようにしてもよい。
【００２７】
さらに、固定基板１６及び取付基板１７の取付手段は限定されることなく、好ましくは透明板扉枠６を容易に着脱し得るようにするのが好ましい。そのために、例えば図１２に示すように取付基板１７側をビス着に替えてヒンジ機構７の取付基板１７に複数の有頭軸４０を突設し、透明板扉枠６の固定板４２に有頭軸４０の頭部が挿通し得る大径孔とそれより細径の有頭軸の軸部が挿通し得る細径孔とを連通した略達磨型の係止孔４１を形成し、前記係止孔４１を有頭軸４０に挿通し透明板扉枠６をずらして有頭軸４０を細径孔に係止させることで、透明板扉枠６をヒンジ機構７を介して前面枠２に着脱自在に取着することができる。また、前記係止孔４１の方向は限定されるものではなく、係止孔４１を透明板扉枠６の左右の幅方向に設けてもよく、さらに前記係止孔４１の一方を逆向き達磨型にして透明板扉枠６を回転させるようにずらすことで該透明板扉枠６を取付基板１７に固定するようにしてもよい。なお、有頭軸４０を取付基板１７側に設けて前記係止孔４１を透明板扉枠６側に設けるようにしてもよいのはいうまでもない。また、固定板４２の一端に下方に垂下した位置決め片３９が設けられており、透明板扉枠６の取付時に固定板４２を取付基板１７の上方に臨ませながら、位置決め片３９を取付基板１７の側端に当接させて左右の位置決めをし、係止孔４１を有頭軸４０に嵌挿しやすくしている。なお、位置決め片３９は取付基板１７側に設けるようにしても、透明板扉枠６の装着の作業性を向上させることができる。
【００２８】
また、透明板扉枠６とヒンジ機構７の他の取付手段として、図１３に示すように取付基板１７の透明板扉枠６側をＬ型に屈曲して当接片４３を形成すると共に、該当接片４３のほぼ中央を切欠き開口して、その開口部に当接片４３から所定間隔離して受片４４を起立させ、当接片４３と受片４４とにより上向コ字型の挟持部４５を形成している。一方、透明板扉枠６側には、前記挟持部４５に挟み込まれる支持片４６が平面視してＬ字状に屈曲して設けられ、その屈曲片４７は当接片４３の側方に当接して透明板扉枠６の位置決めの役割をなし、透明板扉枠６の取付けの作業性の向上を図るものである。また、支持片４６の下方には前記受片４４の基部に合致して透明板扉枠６を位置規制する凹欠き４８が形成され、屈曲片４７の下方には透明板扉枠６が簡単に外れないようにする抜脱防止片４９が折曲して設けられている。そして、透明板扉枠６の取付けは、当接片４３に支持片４６の下部を当接させ、抜脱防止片４９が取付基板１７に干渉しないように透明板扉枠６を下げて、屈曲片４７が当接片４３の側方に当接するように移動させることで抜脱防止片４９が取付基板１７の下方に臨んで透明板扉枠６の上方への移動が規制され、さらに支持片４６の凹欠き４８が受片４４の基部に嵌まることで透明板扉枠６の左右方向の位置決めがなされて、透明板扉枠６が安易に外れないように取付けることができる。なお、位置決めとなる屈曲片４７を支持片４６と一体に形成したが、直接透明板扉枠６に設けるようにしても取付基板１７側に設けるようにしても、透明板扉枠６の装着の作業性を向上させることができる。また、透明板扉枠６の取り外しは、透明板扉枠６を持ち上げて凹欠き４８の係合を外して、透明板扉枠６の自由端側へずらしながら持ち上げることで前面枠２から外すことができる。なお、当接片４３及び支持片４６にはビス穴５０ａ，５０ｂが設けられており、当接片４３及び支持片４６をビス着するようにしてもよい。
【産業上の利用可能性】
【００２９】
また本発明は、パチンコ機の機枠１に対し前面枠２を支持するためのヒンジ機構、前面枠２に対し打球供給皿８，余剰球受皿９、または、これらを一体に構成した球皿扉枠等を支持するためのヒンジ機構、前面枠２に対し球払出装置等の裏機構部品を装着する機構板を支持するためのヒンジ機構、或いは、スロットマシンの前面枠を支持するためのヒンジ機構等にも使用することができる。
【図面の簡単な説明】
【００３０】
【図１】遊技機としてのパチンコ機の正面図である。
【図２】透明板扉枠を開放して示すパチンコ機の斜視図である。
【図３】遊技機用ヒンジ機構の分解斜視図である。
【図４】透明板扉枠の全閉時のヒンジ機構の平面図である。
【図５】ヒンジ機構の要部断面図である。
【図６】透明板扉枠の開放途中を示すヒンジ機構の平面図である。
【図７】透明板扉枠の全開時のヒンジ機構の平面図である。
【図８】他の実施例の遊技機用ヒンジ機構の分解斜視図である。
【図９】図８のヒンジ機構の全閉時の平面図である。
【図１０】図８のヒンジ機構の開放途中を示す平面図である。
【図１１】図８のヒンジ機構の全開時の平面図である。
【図１２】ヒンジ機構と透明板扉枠との連繋を示す斜視図である。
【図１３】ヒンジ機構と透明板扉枠との他の連繋を示す斜視図である。
【符号の説明】
【００３１】
１      機枠（枠本体）
２      前面枠（扉体，枠本体）
３      ヒンジ機構
６      透明板扉枠（扉体）
７      ヒンジ機構
１６    固定基板
１７    取付基板
１８    回動軸
１９    第一リンク
２０    ガイドピン
２１    第二リンク
２２    主ガイド溝
２５    副ガイド溝
２８    第一連結軸
３０    鉤状凹部
３３    第二連結軸
【図１】
2005278872.tif 000003
【図２】
2005278872.tif 000004
【図３】
2005278872.tif 000005
【図４】
2005278872.tif 000006
【図５】
2005278872.tif 000007
【図６】
2005278872.tif 000008
【図７】
2005278872.tif 000009
【図８】
2005278872.tif 000010
【図９】
2005278872.tif 000011
【図１０】
2005278872.tif 000012
【図１１】
2005278872.tif 000013
【図１２】
2005278872.tif 000014
【図１３】
2005278872.tif 000015